【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
電力変換器であって、
電力変換器入力と第１、第２の電力変換器出力との間に結合されたエネルギー伝達エレメントと、
スイッチをスイッチングさせることによって第１の出力電圧が前記第１の電力変換器出力に生成され、かつ、第２の出力電圧が前記第２の電力変換器出力に生成されるよう、前記電力変換器入力と前記エネルギー伝達エレメントとの間に結合されたスイッチとを備え、  前記エネルギー伝達エレメントの両端間の電圧が前記電力変換器入力の入力電圧と前記第１の出力電圧との差である場合に、前記エネルギー伝達エレメントに流れる電流が増加するように結合され、
前記エネルギー伝達エレメントの両端間の前記電圧が前記第１の出力電圧と第２の出力電圧との和である場合に、前記エネルギー伝達エレメントに流れる電流が減少するように結合された、電力変換器。
【請求項２】
前記エネルギー伝達エレメントが、前記電力変換器入力と第１、第２の電力変換器出力との間に結合されたインダクタを含む、請求項１に記載の電力変換器。
【請求項３】
前記第１の出力電圧が第１の負荷インピーダンスの両端間の電圧であり、前記第２の出力電圧が第２の負荷インピーダンスの両端間の電圧になるよう、前記第１の負荷インピーダンスが前記第１の電力変換器出力の両端間に結合され、前記第２の負荷インピーダンスが前記第２の電力変換器出力の両端間に結合される、請求項１に記載の電力変換器。
【請求項４】
前記第１の電力変換器出力の両端間に結合された第１のコンデンサと、前記第２の電力変換器出力の両端間に結合された第２のコンデンサをさらに備えた、請求項１に記載の電力変換器。
【請求項５】
前記第１、第２の出力は接地端子に結合された、請求項１に記載の電力変換器。
【請求項６】
前記スイッチが、前記エネルギー伝達エレメントの両端間の電圧が前記電力変換器入力の入力電圧と前記第１の出力電圧との差である場合に、前記エネルギー伝達エレメントに流れる前記電流が増加するように、第１の位置に結合されるようになされ、
前記スイッチが、前記エネルギー伝達エレメントの両端間の前記電圧が前記第１の出力電圧と第２の出力電圧との和である場合に、前記エネルギー伝達エレメントに流れる前記電流が減少するように、第２の位置に結合されるようになされた、請求項１に記載の電力変換器。
【請求項７】
電力変換器であって、
電力変換器入力と第１、第２の電力変換器出力との間に結合されたエネルギー伝達エレメントと、
スイッチをスイッチングさせることによって第１の出力電圧が前記第１の電力変換器出力に生成され、かつ、第２の出力電圧が前記第２の電力変換器出力に生成されるよう、前記電力変換器入力と前記エネルギー伝達エレメントとの間に結合されたスイッチと、
前記スイッチに結合され、前記スイッチのスイッチングを制御し、それにより前記第１、第２の電力変換器出力に応答して出力電圧を調整する制御回路とを備え、
前記エネルギー伝達エレメントの両端間の電圧が前記電力変換器入力の入力電圧と前記第１の出力電圧との差である場合に、前記エネルギー伝達エレメントに流れる電流が増加するように結合され、
前記エネルギー伝達エレメントの両端間の前記電圧が前記第１の出力電圧と第２の出力電圧との和である場合に、前記エネルギー伝達エレメントに流れる電流が減少するように結合された、電力変換器。
【請求項８】
前記制御回路がさらに接地端子に結合された、請求項７に記載の電力変換器。
【請求項９】
前記制御回路によって調整される前記出力電圧が、前記第１、第２の電力変換器出力の両端間の電圧の和である、請求項７に記載の電力変換器。
【請求項１０】
前記制御回路が、定周波数パルス幅変調（ＰＷＭ）、可変周波数ＰＷＭまたはオン／オフ制御のうちの少なくとも１つを使用する回路を含む、請求項７に記載の電力変換器。
【請求項１１】
前記エネルギー伝達エレメントがインダクタを含む、請求項７に記載の電力変換器。
【請求項１２】
前記第１の電力変換器出力に結合された第１の負荷インピーダンスの両端間に結合された第１の分路レギュレータをさらに備えた、請求項７に記載の電力変換器。
【請求項１３】
前記第２の電力変換器出力に結合された第２の負荷インピーダンスの両端間に結合された第２の分路レギュレータをさらに備えた、請求項１２に記載の電力変換器。
【請求項１４】
前記第１の負荷インピーダンスが前記出力電圧を調整するには不十分である場合に、前記第１の分路レギュレータが、前記第１の電力変換器出力に一方方向電流を追加するための、前記第１の電力変換器出力に結合された一方方向の相互コンダクタンス増幅器を含む、請求項１２に記載の電力変換器。
【請求項１５】
前記第１の分路レギュレータが集積回路の中に含まれている、請求項１２に記載の電力変換器。
【請求項１６】
前記第１の分路レギュレータが、前記第１の電力変換器出力の両端間に結合された第１のバイポーラ・トランジスタと前記第１のバイポーラ・トランジスタに結合された第１の抵抗とを含む、請求項１２に記載の電力変換器。
【請求項１７】
前記第１の分路レギュレータが、前記第１の電力変換器出力の両端間に結合された少なくとも第１のバイポーラ・トランジスタと前記第１のバイポーラ・トランジスタに結合さ
れた第１の抵抗とを含み、前記第２の分路レギュレータが前記第１の抵抗に結合された第２の抵抗を含む、請求項１３に記載の電力変換器。
【請求項１８】
前記第２の分路レギュレータが、前記第２の抵抗に結合された少なくとも第２のバイポーラ・トランジスタをさらに含む、請求項１７に記載の電力変換器。
【請求項１９】
前記スイッチが３つの位置のうちの１つに設定されるように結合され、前記スイッチが第１の位置にある場合、前記エネルギー伝達エレメントに流れる電流は、前記電力変換器入力から供給される入力電流と同じであり、前記スイッチが第２の位置にある場合、前記エネルギー伝達エレメントに流れる前記電流は、前記電力変換器出力からのフリーホイーリング電流と同じであり、また、前記スイッチが第３の位置にある場合、前記エネルギー伝達エレメントに流れる前記電流がゼロである、請求項７に記載の電力変換器。
【請求項２０】
前記スイッチが、前記電力変換器入力と前記エネルギー伝達エレメントとの間に結合されたスイッチング・トランジスタと、前記出力電圧に比例した信号に応答して前記スイッチング・トランジスタを制御するように結合された制御回路とを集積回路の中に含む、請求項１９に記載の電力変換器。
【請求項２１】
前記スイッチング・トランジスタと前記制御回路が、前記電力変換器入力と前記エネルギー伝達エレメントとの間に結合された集積回路の中に含まれている、請求項２０に記載の電力変換器。
【請求項２２】
前記フリーホイーリング電流を受け取るように結合され、かつ、前記スイッチング・トランジスタに結合された前記制御回路に結合されたダイオードをさらに備え、前記スイッチング・トランジスタが、前記ダイオードが導通している場合に前記スイッチを前記第１の位置に配置し、また、前記ダイオードが非導通の場合に前記スイッチを前記第２または第３の位置に配置するように結合される、請求項２０に記載の電力変換器。
【請求項２３】
電力変換器であって、
電力変換器入力と第１、第２の電力変換器出力との間に結合されたエネルギー伝達エレメントと、
スイッチをスイッチングさせることによって第１の出力電圧が前記第１の電力変換器出力に生成され、かつ、第２の出力電圧が前記第２の電力変換器出力に生成されるよう、前記電力変換器入力と前記エネルギー伝達エレメントとの間に結合されたスイッチとを備え、
前記電力変換器は、前記第１の電力変換器出力および前記第２の電力変換器出力のうちそれぞれ１つの両端間に各々結合された１対の分路レギュレータをさらに備えることを特徴とする、電力変換器。
【請求項２４】
前記分路レギュレータは、電流を独立して調整し、それにより所望の第１および第２の出力電圧を維持するよう配置される、請求項２３に記載の電力変換器。
【請求項２５】
前記スイッチのスイッチングを制御するよう結合された制御回路をさらに備える、請求項２３に記載の電力変換器。
【請求項２６】
前記制御回路は、前記スイッチのスイッチングを制御し、それにより前記第１の出力電圧と第２の出力電圧との和である出力電圧を調整する、請求項２５に記載の電力変換器。